(57)【特許請求の範囲】
【請求項１】
基地局が、各端末設備のワンタイムで受信すべきダウンリンクサブフレームの集合を確認するステップと；
基地局が、前記端末設備へダウンリンクサブフレームを送信するステップと、
ここで、前記ダウンリンクサブフレームの制御領域には、前記端末設備のワンタイムで受信すべきダウンリンクサブフレームの集合における各ダウンリンクサブフレームの制御情報が含まれ；
基地局が、前記端末設備のワンタイムで受信すべきダウンリンクサブフレームの集合における各ダウンリンクサブフレームのデータ領域により前記端末設備へデータを伝送するステップと
を備え、
前記ダウンリンクサブフレームの集合には少なくとも２つのダウンリンクサブフレームが含まれ、
前記端末設備のワンタイムで受信すべきダウンリンクサブフレームの集合における各ダウンリンクサブフレームのデータ領域により前記端末設備へデータを伝送するステップは、
同一ペイロードｐａｙｌｏａｄに対するチャンネル符号化を行い、少なくとも２つの冗長バージョンを獲得するステップと、
前記少なくとも２つのダウンリンクサブフレームのデータ領域により、前記端末設備へ前記少なくとも２つの冗長バージョンを伝送するステップと
を備えることを特徴とするダウンリンクサブフレームのスケジューリング方法。
【請求項２】
前記制御情報を含む前記ダウンリンクサブフレームは前記少なくとも２つのダウンリンクサブフレーム以外のダウンリンクサブフレームである
ことを特徴とする請求項１に記載のダウンリンクサブフレームのスケジューリング方法。
【請求項３】
前記制御情報を含む前記ダウンリンクサブフレームは前記少なくとも２つのダウンリンクサブフレームにおけるダウンリンクサブフレームである
ことを特徴とする請求項１又は請求項２に記載のダウンリンクサブフレームのスケジューリング方法。
【請求項４】
ＦＤＤシステムにおいて、前記少なくとも２つのダウンリンクサブフレームは連続ダウンリンクサブフレームである
ことを特徴とする請求項１ないし請求項３のいずれかに記載のダウンリンクサブフレームのスケジューリング方法。
【請求項５】
ＴＤＤシステムにおいて、前記少なくとも２つのダウンリンクサブフレームは非連続ダウンリンクサブフレームである
ことを特徴とする請求項１ないし請求項４のいずれかに記載のダウンリンクサブフレームのスケジューリング方法。
【請求項６】
前記端末設備に前記少なくとも２つの冗長バージョンを伝送する前に、
前記ペイロードの受信機セルの信号品質に対する測定結果を受信するステップと、
前記受信した測定結果に基づき、前記受信機へ伝送すべき前記ペイロードに対応する少なくとも２つの冗長バージョンを判定するステップと
をさらに備えることを特徴とする請求項１ないし請求項５のいずれかに記載のダウンリンクサブフレームのスケジューリング方法。
【請求項７】
前記ダウンリンクサブフレームの制御領域に含まれる前記端末設備のワンタイムで受信すべきダウンリンクサブフレームの集合における各ダウンリンクサブフレームの制御情報は、
前記ダウンリンクサブフレームの制御領域含まれる前記端末設備のワンタイムで受信すべきダウンリンクサブフレームの集合における各ダウンリンクサブフレームのデータ領域の詳細な指示メッセージである
ことを特徴とする請求項１に記載のダウンリンクサブフレームのスケジューリング方法。
【請求項８】
前記ダウンリンクサブフレームの制御領域に含まれる前記端末設備のワンタイムで受信すべきダウンリンクサブフレームの集合における各ダウンリンクサブフレームのデータ領域の詳細な指示メッセージは、
前記ダウンリンクサブフレーム後の１つのダウンリンクサブフレームのデータ領域であるか、
前記ダウンリンクサブフレーム後の複数のダウンリンクサブフレームのデータ領域であるか、
前記ダウンリンクサブフレーム自身のデータ領域および前記ダウンリンクサブフレーム後の１つ或いは複数のダウンリンクサブフレームのデータ領域である
ことを特徴とする請求項７に記載のダウンリンクサブフレームのスケジューリング方法。
【請求項９】
前記端末設備のワンタイムで受信すべきダウンリンクサブフレームの集合における各ダウンリンクサブフレームのデータ領域が伝送するペイロードは異なる
ことを特徴とする請求項７に記載のダウンリンクサブフレームのスケジューリング方法。
【請求項１０】
前記端末設備へ１つのダウンリンクサブフレームを送信後に、
前記端末設備が前記ダウンリンクサブフレームを受信し、かつ前記ダウンリンクサブフレームの制御領域に含まれる前記端末設備のワンタイムで受信すべきダウンリンクサブフレームの集合における各ダウンリンクサブフレームの制御情報を獲得するステップと、
前記端末設備が前記ダウンリンクサブフレームの集合に含まれる各ダウンリンクサブフレームの制御情報に基づき、前記ダウンリンクサブフレームの集合における、前記各ダウンリンクサブフレームの制御情報対応する各ダウンリンクサブフレームのデータ領域によりデータを受信するステップと
をさらに備えることを特徴とする請求項１に記載のダウンリンクサブフレームのスケジューリング方法。
【請求項１１】
各端末設備のワンタイムで受信すべきダウンリンクサブフレームの集合を確認するスケジューリングモジュールと、
前記スケジューリングモジュールに接続され、前記端末設備へダウンリンクサブフレームを送信する伝送モジュールと
を備え、
前記ダウンリンクサブフレームの制御領域には、前記スケジューリングモジュールが確認した前記端末設備のワンタイムで受信すべきダウンリンクサブフレームの集合における各ダウンリンクサブフレームの制御情報が含まれ、
前記伝送モジュールは、前記端末設備のワンタイムで受信すべきダウンリンクサブフレームの集合における各ダウンリンクサブフレームのデータ領域により前記端末設備へデータを伝送するのにさらに用いられ、
前記ダウンリンクサブフレームの集合には、少なくとも２つのダウンリンクサブフレームが含まれ、
前記伝送モジュールは、
前記端末設備へダウンリンクサブフレームを送信する第１伝送サブモジュールと、
ここで、前記ダウンリンクサブフレームの制御領域には、前記スケジューリングモジュールが確認する前記端末設備のワンタイムで受信すべき前記少なくとも２つのダウンリンクサブフレームの制御情報を含み；
同一ペイロードに対するチャンネル符号化を行い、少なくとも２つの冗長バージョンを獲得する符号化サブモジュールと；
前記少なくとも２つのダウンリンクサブフレームのデータ領域により、前記端末設備へ符号化サブモジュールが獲得した前記少なくとも２つの冗長バージョンを伝送する第２伝送サブモジュールと
を備えることを特徴とする基地局。
【請求項１２】
前記制御情報を含む前記ダウンリンクサブフレームは前記少なくとも２つのダウンリンクサブフレーム以外のダウンリンクサブフレームである
ことを特徴とする請求項１１に記載の基地局。
【請求項１３】
前記制御情報を含む前記ダウンリンクサブフレームが前記少なくとも２つのダウンリンクサブフレームにおけるダウンリンクサブフレームである
ことを特徴とする請求項１２に記載の基地局。
【請求項１４】
前記ペイロードの受信機セルの信号品質に対する測定結果を受信する受信モジュールと、
前記受信モジュールが受信した測定結果に基づき、前記受信機へ前記ペイロードに対応する少なくとも２つの冗長バージョンを伝送することが必要か否かを判定し、必要だと判定した場合、前記符号化サブモジュールへ前記ペイロードに対するチャンネル符号化を行うよう通知する判定モジュールと
を備えることを特徴とする請求項１２に記載の基地局。
【請求項１５】
前記ダウンリンクサブフレームの制御領域に含まれる前記端末設備のワンタイムで受信すべきダウンリンクサブフレームの集合における各ダウンリンクサブフレームの制御情報は、
前記ダウンリンクサブフレームの制御領域に含まれる前記端末設備のワンタイムで受信すべきダウンリンクサブフレームの集合における各ダウンリンクサブフレームのデータ領域の詳細な指示メッセージである
ことを特徴とする請求項１１に記載の基地局。
【請求項１６】
前記ダウンリンクサブフレームの制御領域に含まれる前記端末設備のワンタイムで受信すべきダウンリンクサブフレームの集合における各ダウンリンクサブフレームのデータ領域の詳細な指示メッセージは、
前記ダウンリンクサブフレーム後の１つのダウンリンクサブフレームのデータ領域であるか、
前記ダウンリンクサブフレーム後の複数のダウンリンクサブフレームのデータ領域であるか、
前記ダウンリンクサブフレーム自身のデータ領域および前記ダウンリンクサブフレーム後の１つ或いは複数のダウンリンクサブフレームのデータ領域である
ことを特徴とする請求項１５に記載の基地局。
【請求項１７】
前記端末設備のワンタイムで受信すべきダウンリンクサブフレームの集合における各ダウンリンクサブフレームのデータ領域が伝送するペイロードは異なる
ことを特徴とする請求項１６に記載の基地局。
【請求項１８】
前記請求項１１に記載された基地局と受信機を備え、
前記受信機は、前記送信機からの少なくとも２つのダウンリンクサブフレームを受信し、前記少なくとも２つのダウンリンクサブフレームに含まれる少なくとも２つの冗長バージョンを獲得する
ことを特徴とする信号伝送システム。
【発明の詳細な説明】
【技術分野】
【０００１】
本発明は通信技術分野に関し、特にダウンリンクサブフレームのスケジューリング方法および設備に関する。
【背景技術】
【０００２】
３ＧＰＰ（３ｒｄ  Ｇｅｎｅｒａｔｉｏｎ  ＰａｒｔｎｅｒＳｈｉｐ  Ｐｒｏｊｅｃｔ，第三世代パートナーシップ計画）、ＬＴＥ（Ｌｏｎｇ  Ｔｅｒｍ  Ｅｖｏｌｕｔｉｏｎ，ロング・ターム・エボリューション）、Ｒ８（ＲｅｌｅａＳｅ  ８，リリース８）の仕様において、１つのダウンリンクサブフレーム（ｄｏｗｎｌｉｎｋ  Ｓｕｂｆｒａｍｅ）の長さは１ｍｓであり、図１に示すように、制御領域ＰＤＣＣＨ（ＰｈｙＳｉｃａｌ  Ｄｏｗｎｌｉｎｋ  Ｃｏｎｔｒｏｌ  Ｃｈａｎｎｅｌ，物理ダウンリンク制御チャンネル）およびデータ領域ＰＤＳＣＨ（ＰｈｙＳｉｃａｌ  Ｄｏｗｎｌｉｎｋ  Ｓｈａｒｅｄ  Ｃｈａｎｎｅｌ，物理ダウンリンク共有チャンネル）を含む。
【０００３】
ここで、ダウンリンクサブフレームの制御領域ＰＤＣＣＨは当該サブフレームのデータ領域ＰＤＳＣＨをスケジューリングする。即ち、ダウンリンクサブフレームのＰＤＣＣＨは当該サブフレームのデータ伝送に用いられる周波数領域リソースおよび変調符号化方式等の制御情報を規定するものである。
【０００４】
本発明を実現する過程において、発明者は従来技術に少なくとも以下の問題が存在することを発見した。
【先行技術文献】
【特許文献】
【０００５】
【特許文献１】中華人民共和国特許第１０１３９９６５１号明細書
【発明の概要】
【発明が解決しようとする課題】
【０００６】
従来技術の欠点は、サブフレームの制御領域は当該サブフレームデータ領域をスケジューリングできるのみで、特殊な情況への応対は十分に柔軟ではない。
【課題を解決するための手段】
【０００７】
本発明の実施形態はダウンリンクサブフレームのスケジューリング方法および設備を提供することにより、サブフレームの制御領域により他の１つあるいは複数のサブフレームのデータ領域をスケジューリングすることができ、伝統的なダウンリンクシングルサブフレームのスケジューリングより、シグナリング制御の発生を大幅に節約できるため、さらに多くのリソースがデータを伝送し、システム性能を向上することができる。
【０００８】
上述の目的を達成するため、本発明の実施形態に係るダウンリンクサブフレームのスケジューリング方法は、各端末設備が、ワンタイムで受信すべきダウンリンクサブフレームの集合を確認するステップと；
前記端末設備へダウンリンクサブフレームを送信するステップと、ここで、前記ダウンリンクサブフレームの制御領域は、前記端末設備がワンタイムで受信すべきダウンリンクサブフレームの集合における各ダウンリンクサブフレームの制御情報を含み；
前記端末設備のワンタイムで受信すべきダウンリンクサブフレームの集合における各ダウンリンクサブフレームのデータ領域により、前記端末設備へデータを伝送するステップとを備える。
【０００９】
好ましくは、前記ダウンリンクサブフレームの集合に少なくとも２つのダウンリンクサブフレームを含み、前記端末設備のワンタイムで受信すべきダウンリンクサブフレームの集合における各ダウンリンクサブフレームのデータ領域により前記端末設備へデータを伝送するステップは、同一ペイロード（ｐａｙｌｏａｄ）に対しチャンネル符号化を行い、少なくとも２つの冗長バージョンを獲得するステップと、前記少なくとも２つのダウンリンクサブフレームのデータ領域により、前記端末設備へ前記少なくとも２つの冗長バージョンを伝送するステップとを備える。
【００１０】
好ましくは、前記制御情報を含む前記ダウンリンクサブフレームは前記少なくとも２つのダウンリンクサブフレーム以外のダウンリンクサブフレームである。
【００１１】
好ましくは、前記制御情報を含む前記ダウンリンクサブフレームは前記少なくとも２つのダウンリンクサブフレーム内のダウンリンクサブフレームである。
【００１２】
好ましくは、当該方法はＦＤＤシステムにおいて用いられ、前記少なくとも２つのダウンリンクサブフレームは連続ダウンリンクサブフレームである。
【００１３】
好ましくは、当該方法ＴＤＤシステムにおいて用いられ、前記少なくとも２つのダウンリンクサブフレームは非連続ダウンリンクサブフレームである。
【００１４】
好ましくは、前記端末設備は、前記少なくとも２つの冗長バージョンを伝送する前に、
前記ペイロードの受信機によりセル信号品質に対する測定結果を受信するステップと、  前記受信した測定結果に基づき、前記受信機へ伝送すべき前記ペイロードに対応する少なくとも２つの冗長バージョンを判定するステップをさらに備える。
【００１５】
好ましくは、前記ダウンリンクサブフレームの制御領域に、前記端末設備のワンタイムで受信すべきダウンリンクサブフレームの集合における各ダウンリンクサブフレームの制御情報が含まれるとは、前記ダウンリンクサブフレームの制御領域に、前記端末設備のワンタイムで受信すべきダウンリンクサブフレームの集合における各ダウンリンクサブフレームのデータ領域の詳細な指示メッセージが含まれることである。
【００１６】
好ましくは、前記ダウンリンクサブフレームの制御領域に含まれる、前記端末設備のワンタイムで受信すべきダウンリンクサブフレームの集合における各ダウンリンクサブフレームのデータ領域の詳細な指示メッセージは、前記ダウンリンクサブフレーム後の１つのダウンリンクサブフレームのデータ領域であるか、前記ダウンリンクサブフレーム後の複数のダウンリンクサブフレームのデータ領域であるか、前記ダウンリンクサブフレーム自身のデータ領域および前記ダウンリンクサブフレーム後の１つまたは複数のダウンリンクサブフレームのデータ領域である。
【００１７】
好ましくは、前記端末設備のワンタイムで受信すべきダウンリンクサブフレームの集合における各ダウンリンクサブフレームのデータ領域が伝送するペイロードは相異する。
【００１８】
好ましくは、前記端末設備へダウンリンクサブフレームを送信後に、前記端末設備が、前記ダウンリンクサブフレームを受信し、かつ、前記ダウンリンクサブフレームの制御領域に含まれる、前記端末設備のワンタイムで受信すべきダウンリンクサブフレームの集合における各ダウンリンクサブフレームの制御情報を獲得するステップと、前記端末設備が、前記ダウンリンクサブフレームの集合における各ダウンリンクサブフレームの制御情報に基づき、前記ダウンリンクサブフレームの集合における各ダウンリンクサブフレームのデータ領域によりデータを受信するステップとをさらに備える。
【００１９】
また、本発明の実施形態に係る基地局は、各端末設備のワンタイムで受信すべきダウンリンクサブフレームの集合を確認するスケジューリングモジュールと、前記スケジューリングモジュールに接続され、前記端末設備へダウンリンクサブフレームを送信する伝送モジュールとを備え、前記ダウンリンクサブフレームの制御領域には、前記スケジューリングモジュールにより確認された上記端末設備のワンタイムで受信すべきダウンリンクサブフレームの集合における各ダウンリンクサブフレームの制御情報が含まれ、前記伝送モジュールは、前記端末設備のワンタイムで受信すべきダウンリンクサブフレームの集合における各ダウンリンクサブフレームのデータ領域により前記端末設備へデータを伝送することにさらに用いられる。
【００２０】
前記ダウンリンクサブフレームの集合は、少なくとも２つのダウンリンクサブフレームを含み；
前記伝送モジュールは、前記端末設備へ１つのダウンリンクサブフレームを送信する第１伝送サブモジュールと、ここで、前記ダウンリンクサブフレームの制御領域には、前記スケジューリングモジュールにより確認された前記端末設備のワンタイムで受信すべき前記少なくとも２つのダウンリンクサブフレームの制御情報が含まれ；
同一ペイロードに対しチャンネル符号化を行い、少なくとも２つの冗長バージョンを獲得する符号化サブモジュールと；
前記少なくとも２つのダウンリンクサブフレームのデータ領域により、前記端末設備へ符号化サブモジュールが獲得した前記少なくとも２つの冗長バージョンを伝送する第２伝送サブモジュールとを備える。
【００２１】
好ましくは、前記制御情報を含む前記ダウンリンクサブフレームは前記少なくとも２つのダウンリンクサブフレーム以外のダウンリンクサブフレームである。
【００２２】
好ましくは、前記制御情報を含む前記ダウンリンクサブフレームは前記少なくとも２つのダウンリンクサブフレームにおけるダウンリンクサブフレームである。
【００２３】
好ましくは、当該基地局は、前記ペイロードの受信機のセル信号品質に対する測定結果を受信する受信モジュールと、前記受信モジュールが受信した測定結果に基づき、前記受信機へ前記ペイロードに対応する少なくとも２つの冗長バージョンを伝送することが必要か否かを判定し、必要だと判定した場合、前記符号化サブモジュールに前記ペイロードのチャンネル符号化を行うよう通知する判定モジュールとを備える。
【００２４】
好ましくは、前記ダウンリンクサブフレームの制御領域に、前記端末設備のワンタイムで受信すべきダウンリンクサブフレームの集合における各ダウンリンクサブフレームの制御情報が含まれるとは、前記ダウンリンクサブフレームの制御領域に、前記端末設備のワンタイムで受信すべきダウンリンクサブフレームの集合における各ダウンリンクサブフレームのデータ領域の詳細な指示メッセージが含まれることである。
【００２５】
好ましくは、前記ダウンリンクサブフレームの制御領域に、前記端末設備のワンタイムで受信すべきダウンリンクサブフレームの集合における各ダウンリンクサブフレームのデータ領域の詳細な指示メッセージが含まれることは、前記ダウンリンクサブフレーム後の１つのダウンリンクサブフレームのデータ領域であるか、前記ダウンリンクサブフレーム後の複数のダウンリンクサブフレームのデータ領域であるか、前記ダウンリンクサブフレーム自身のデータ領域および前記ダウンリンクサブフレーム後の１つまたは複数のダウンリンクサブフレームのデータ領域である。
【００２６】
好ましくは、前記端末設備のワンタイムで受信すべきダウンリンクサブフレームの集合における各ダウンリンクサブフレームのデータ領域が伝送するペイロードは相異する。
【００２７】
また、本発明の実施形態に係る端末設備は、受信した基地局から送信されたダウンリンクサブフレームの制御領域に含まれる前記端末設備のワンタイムで受信すべきダウンリンクサブフレームの集合における各ダウンリンクサブフレームの制御情報を獲得する獲得モジュールと、前記獲得モジュールに接続され、前記基地局から送信されたダウンリンクサブフレームを受信し、さらに、前記獲得モジュールが獲得したダウンリンクサブフレームの集合における各ダウンリンクサブフレームの制御情報基づき前記ダウンリンクサブフレームの集合における前記各ダウンリンクサブフレームの制御情報に対応する各ダウンリンクサブフレームのデータ領域によりデータを受信する受信モジュールとを備える。
【００２８】
また、本発明の実施形態に係る信号伝送システムは、送信機と受信機を備え、前記送信機は、同一ペイロードに対しチャンネル符号化を行い、少なくとも２つの冗長バージョンを獲得し、少なくとも２つのダウンリンクサブフレームで前記少なくとも２つの冗長バージョンを伝送し、かつ、１つのダウンリンク認証シグナリングにより前記少なくとも２つのダウンリンクサブフレームをスケジューリングし、前記少なくとも２つのダウンリンクサブフレームにより信号を伝送し、前記受信機は、前記送信機からの少なくとも２つのダウンリンクサブフレームを受信し、前記少なくとも２つのダウンリンクサブフレームに含まれる少なくとも２つの冗長バージョンを獲得する。
【００２９】
好ましくは、前記受信機はさらに、前記少なくとも２つの冗長バージョン内の１つの冗長バージョンを使用して前記ペイロードに対する復号に失敗した場合、前記少なくとも２つの冗長バージョン内の他の冗長バージョンを使用して前記ペイロードの復号を行う。
【００３０】
好ましくは、前記受信機はさらに、セル信号品質を測定して測定結果を獲得し、かつ前記測定結果を前記送信機へ送信することにさらに用いられ、前記送信機は、少なくとも２つのダウンリンクサブフレームで前記２つの冗長バージョンを伝送する前に、前記受信機からの測定結果を受信し、かつ前記測定結果に基づき、前記受信機へ伝送すべき前記ペイロードに対応する少なくとも２つの冗長バージョンを判定することにさらに用いる。
【発明の効果】
【００３１】
従来技術と比べ、本発明の実施形態は以下の具体的な利点を有する。
本発明の実施形態に係る技術方案の実施によれば１つのサブフレームの制御領域により他の１つあるいは複数のサブフレームのデータ領域をスケジューリングすることは、従来のダウンリンクシングルサブフレームのスケジューリングにより、シグナリング制御の発生を大幅に節約でき、さらに多くのリソースがデータ伝送に用いられるようにでき、システム性能を向上することができる。
【図面の簡単な説明】
【００３２】
本発明或いは従来技術における技術方案をさらに詳細に説明するために、以下に本発明或いは従来技術の説明に必要な図面を簡単に紹介する。以下に説明している図面は本発明の一部の実施形態に過ぎず、創造性を発揮しない前提の下でこれらの図面に基づき他の図面を取得できる。
【図１】従来技術におけるサブフレームの構造を示す図。
【図２】本発明の実施形態に係るダウンリンクサブフレームのスケジューリング方法のフロー図。
【図３】本発明の実施形態におけるダウンリンクサブフレームの結合を示す図。
【図４】本発明の実施形態における信号の伝送方法のフロー図。
【図５】本発明の実施形態における他のダウンリンクサブフレームの結合を示す図。
【図６】本発明の実施形態における他の信号伝送方法のフロー図。
【図７】本発明の実施形態に係る具体的応用シーンでのダウンリンクサブフレームのスケジューリング方法を示す図。
【図８】本発明の実施形態に係る具体的応用シーンでのダウンリンクサブフレームのスケジューリング方法を示す図。
【図９】本発明の実施形態に係る具体的応用シーンでのダウンリンクサブフレームのスケジューリング方法を示す図。
【図１０】本発明の実施形態に係る基地局の構造を示す図。
【図１１】本発明の実施形態に係る端末設備の構造を示す図。
【図１２】本発明の実施形態における信号の伝送システムの構造を示す図。
【発明を実施するための形態】
【００３３】
従来技術における課題を解決するため本発明の実施形態に係るダウンリンクサブフレームのスケジューリング方法の基本思想としては、ダウンリンクサブフレームの制御領域は複数のダウンリンクサブフレームのデータ領域をスケジューリングでき、各ダウンリンクサブフレーム伝送のペイロード（ｐａｙｌｏａｄ）は同じでもよいし異なっていてもよい。例えば、ＦＤＤ（Ｆｒｅｑｕｅｎｃｙ  ＤｉｖｉＳｉｏｎ  Ｄｕｐｌｅｘ，周波数分割複信）モデルの場合に、連続Ｎ（Ｎ＞＝２）個ダウンリンクサブフレームの結合を行い、ＴＤＤ（Ｔｉｍｅ  ＤｉｖｉＳｉｏｎ  Ｄｕｐｌｅｘ，時間分割復信）モデルの場合に、非連続Ｎ（Ｎ＞＝２）個ダウンリンクサブフレームの結合を行い、チャンネル符号化後の同一ペイロード（ｐａｙｌｏａｄ）のＮ個ＲＶ（Ｒｅｄｕｎｄａｎｃｙ  ＶｅｒＳｉｏｎ，冗長バージョン）をそれぞれ結合したＮ個のダウンリンクサブフレームで伝送、さらにダウンリンク認証シグナリングにより結合したＮ個サブフレームの伝送をスケジューリングする。前記結合したＮ個サブフレームに利用される周波数領域リソースは同じでもよいし、異なっていてもよい。
【００３４】
以下に本発明の図面を結合して、本発明における技術方案に対して明確、完全な説明を行う。説明する実施形態は本発明の一部の実施形態であり、全ての実施形態でないことは明らかである。本発明における実施形態により、当業者が創造性を発揮しない前提で、取得した他の実施形態は全て本発明の保護の範囲に属する。
【００３５】
図２は、本発明の実施形態に係るダウンリンクサブフレームのスケジューリング方法のフロー図であり、当該ダウンリンクサブフレームのスケジューリング方法はステップＳ２０１と、ステップＳ２０２と、ステップＳ２０３とを備える。
【００３６】
ステップＳ２０１において、各端末設備のワンタイムで受信すべきダウンリンクサブフレームの集合を確認する。
【００３７】
ステップＳ２０２において、当該端末設備へダウンリンクサブフレームを送信する。
【００３８】
ここで、ダウンリンクサブフレームの制御領域には、当該端末設備のワンタイムで受信すべきダウンリンクサブフレームの集合における各ダウンリンクサブフレームの制御情報が含まれる。
【００３９】
さらに説明が必要なこととして、前記制御情報は具体的に、ダウンリンクサブフレームの制御領域に含まれた端末設備のワンタイムで受信すべきダウンリンクサブフレームの集合における各ダウンリンクサブフレームのデータ領域の詳細な指示メッセージである。具体的に、
ダウンリンクサブフレーム後の１つのダウンリンクサブフレームのデータ領域であるか、
ダウンリンクサブフレーム後の複数のダウンリンクサブフレームのデータ領域であるか、
ダウンリンクサブフレーム自身のデータ領域およびダウンリンクサブフレーム後の１つ或いは複数のダウンリンクサブフレームのデータ領域である。
【００４０】
一方で、端末設備のワンタイムで受信すべきダウンリンクサブフレームの集合における各ダウンリンクサブフレームは具体的に連続ダウンリンクサブフレーム或いは非連続ダウンリンクサブフレームである。
【００４１】
かつ、端末設備のワンタイムで受信すべきダウンリンクサブフレームの集合における各ダウンリンクサブフレームのデータ領域が伝送するペイロードは異なる。
【００４２】
ステップＳ２０３において、当該端末設備のワンタイムで受信すべきダウンリンクサブフレームの集合における各ダウンリンクサブフレームのデータ領域により端末設備へデータを伝送する。
【００４３】
説明が必要なこととして、ステップＳ２０２とステップＳ２０３が完了後に、本発明の技術方案は端末設備側の処理フローをさらに備える。当該端末設備側の処理フローは、端末設備が、ダウンリンクサブフレームを受信し、かつダウンリンクサブフレームの制御領域に含まれる端末設備のワンタイムで受信すべきダウンリンクサブフレームの集合における各ダウンリンクサブフレームの制御情報を獲得ステップと、端末設備が、ダウンリンクサブフレームの集合における各ダウンリンクサブフレームの制御情報に基づき、ダウンリンクサブフレームの集合における、各ダウンリンクサブフレームの制御情報に対応する各ダウンリンクサブフレームのデータ領域によりデータを受信する。
【００４４】
上述ステップＳ２０３において、各ダウンリンクサブフレームが伝送するペイロード（ｐａｙｌｏａｄ）は同じでもよいし異なっていてもよい。特に、各ダウンリンクサブフレームに少なくとも２つのダウンリンクサブフレームが含まれ、かつ前記２つのダウンリンクサブフレームが同一ｐａｙｌｏａｄを伝送する場合、ステップＳ２０３は以下のステップにより実施できる。
【００４５】
まず、同一ペイロードに対しチャンネル符号化を行い、少なくとも２つの冗長バージョンを獲得する。具体的に、ペイロードの受信機のセル信号品質に対する測定結果を受信し、かつ、前記受信した測定結果に基づき、前記受信機へ前記ペイロードに対応する少なくとも２つの冗長バージョンを伝送することが必要か否かを判定する。必要だと判定した場合、同一符号化ルールによって同一ペイロードに対しチャンネル符号化を行い、少なくとも２つの冗長バージョンを獲得する。
【００４６】
そして、前記少なくとも２つのダウンリンクサブフレームのデータ領域を再利用し、端末設備へ前記少なくとも２つの冗長バージョンを伝送する。ここで、前記少なくとも２つのダウンリンクサブフレームは連続ダウンリンクサブフレームでもよいし、非連続ダウンリンクサブフレームでもよい。各サブフレームは単独のシグナリング制御がなく、かつ同一ペイロードに対応する異なる冗長バージョンを伝送する。
【００４７】
本発明の実施形態において、前記制御情報を含むダウンリンクサブフレームは前記少なくとも２つのダウンリンクサブフレーム以外のダウンリンクサブフレームでもよいし、前記少なくとも２つのダウンリンクサブフレームにおけるダウンリンクサブフレームでもよい。
【００４８】
本発明の実施形態においては、１つのダウンリンクサブフレームが少なくとも２つのダウンリンクサブフレームをスケジューリングすることにより、制御シグナリングのオーバーヘッドを大幅に節約でき、サブフレームに対するスケジューリングの柔軟性を向上することができる。また、同一ペイロードに対応する少なくとも２つの冗長バージョンを伝送することにより、ダウンリンク伝送の信頼性を強化できる。この他に、本発明の実施形態において、結合後の少なくとも２つのダウンリンクサブフレームで同一ペイロードに対応する少なくとも２つの冗長バージョンを伝送することによる技術効果としては、ＨＡＲＱ（Ｈｙｂｒｉｄ  Ａｕｔｏ  Ｒｅｐｅａｔ  ＲｅｑｕｅＳｔ，混合自動再送請求）メカニズムにおける受信機が受信した少なくとも２つの冗長バージョン内の１つの冗長バージョンに基づいて修正できない場合、同一ペイロードに対応する他の冗長バージョンに基づいて修正でき、システムＳＮＲ（Ｓｉｇｎａｌ  ｔｏ  ＮｏｉＳｅ  Ｒａｔｉｏ，信号雑音比）が比較的低く、セル周辺信号が比較的悪い場合の情況に適することである。
【００４９】
本発明の実施形態の応用シーンは具体的に以下の２つの状況を含むがこれに限らない。
（１）Ｎ（Ｎ＞＝２）個連続或いは非連続ダウンリンクサブフレームは結合されて同一ペイロードに対応する少なくとも２つの冗長バージョンを伝送し、かつ当該Ｎ個サブフレーム以外のサブフレームの制御部分により結合後のＮ個ダウンリンクサブフレームをスケジューリング。
（２）Ｎ（Ｎ＞＝２）個連続或いは非連続ダウンリンクサブフレームは結合されて同一ペイロードに対応する少なくとも２つの冗長バージョンを伝送し、かつ当該Ｎ個サブフレームにおける第１サブフレームの制御部分により結合後のＮ個ダウンリンクサブフレームをしけ儒ーリングする。
【００５０】
以下に前記応用シーンを結合し、本発明の実施形態におけるダウンリンクサブフレーム伝送方法をさらに詳細且つ具体的に記述する。
【００５１】
図３は、本発明の実施形態におけるダウンリンクサブフレーム結合を示す図である。ここで、Ｍ＋１個連続或いは非連続ダウンリンクサブフレームは結合され、かつ当該Ｍ＋１個ダウンリンクサブフレーム以外のサブフレームの制御部分により当該Ｍ＋１個ダウンリンクサブフレームをスケジューリングする。
【００５２】
図４は、本発明の実施形態における信号伝送方法フロー図であり、ステップ４０１ないし４０７を備える。
【００５３】
ステップ４０１において、ペイロードの受信機はセルの信号品質を測定し、測定結果を獲得する。
【００５４】
この内、測定結果はセル信号強度、システムＳＮＲ等の情報を含む。
【００５５】
ステップ４０２において、ペイロードの受信機はセルの信号品質に対する測定結果を送信機へ送信する。
【００５６】
ステップ４０３において、送信機はペイロードの受信機のセル信号品質に対する測定結果を受信する。
【００５７】
ステップ４０４において、送信機は受信した測定結果に基づき、受信機へペイロードに対応する少なくとも２つの冗長バージョンを伝送することが必要か否かを判定する。もし必要だと判定した場合、ステップ４０５に入る。もし判定結果が必要ないという場合、フローを終了する。
【００５８】
具体的に、送信機は測定結果のセル信号強度がデフォルト値より小さいか否かを判定できる。もしセル信号強度がデフォルト値より小さい場合、受信機の所在するセルの信号品質は比較的悪いと判定し、受信機へ同一ペイロードに対応する少なくとも２つの冗長バージョンを伝送する必要がある。
【００５９】
送信機もまた測定結果のシステムがデフォルト値より小さいか否か判定できる。もしシステムＳＮＲデフォルト値より小さい場合、受信機ＳＮＲが存在するセルの信号品質は比較的悪いと判定し、受信機へ同一ペイロードが対応する少なくとも２つの冗長バージョンを伝送する必要がある。
【００６０】
ステップ４０５において、送信機は同一ペイロードに対しチャンネル符号化を行い、少なくとも２つの冗長バージョンを獲得する。
【００６１】
ステップ４０６において、送信機は獲得した少なくとも２つの冗長バージョンを結合後のＭ＋１個ダウンリンクサブフレームにて伝送し、かつ当該Ｍ＋１個ダウンリンクサブフレーム以外のサブフレームの制御部分により当該Ｍ＋１個ダウンリンクサブフレームをスケジューリングする。
【００６２】
ここで、前記結合後のダウンリンクサブフレームは連続ダウンリンクサブフレームであってもよいし、また非連続ダウンリンクサブフレームであってもよい。結合後の各サブフレームは単独のシグナリング制御が無く、かつ同一ペイロードに対応する異なる冗長バージョンを伝送する。
【００６３】
ステップ４０７において、受信機は送信機からの少なくとも２つの冗長バージョンを受信し、当該少なくとも２つの冗長バージョン内の１つの冗長バージョンを使用してペイロード復号に失敗した場合、当該少なくとも２つの冗長バージョン内の他の冗長バージョンを使用し当該ペイロードの復号を行う。
【００６４】
従来のダウンリンクシングルサブフレーム伝送と比べれば、本発明の実施形態は、ダウンリンク認証シグナリングにより少なくとも２つのダウンリンクサブフレームをスケジューリングし、シグナリング制御のオーバーベッドを大幅に節約でき、かつサブフレームに対するスケジューリングの柔軟性を向上できる。また、同一ペイロードに対応する少なくとも２つの冗長バージョンの伝送により、ダウンリンク伝送の信頼性を強化できる。
【００６５】
図５は本発明の実施形態における他のダウンリンクサブフレーム結合を示す図である。ここで、Ｎ＋１個連続或いは非連続ダウンリンクサブフレームは結合され、かつ当該Ｎ＋１個ダウンリンクサブフレームにおける第１個サブフレームの制御部分により当該Ｎ＋１個ダウンリンクサブフレームをスケジューリングする。
【００６６】
以下に上述応用シーンを結合して本発明の実施形態においての信号伝送方法について詳細に記述する。
【００６７】
図６は本発明の実施形態における他の信号伝送方法のフロー図であり、ステップ６０１ないし６０７を備える。
【００６８】
ステップ６０１において、ユーザー設備はセル信号品質を測定し、測定結果を獲得する。
【００６９】
ここで、測定結果はセル信号強度、システムＳＮＲ等の情報を含む。
【００７０】
ステップ６０２において、ユーザー設備はセル信号品質に対する測定結果を基地局設備へ送信する。
【００７１】
ステップ６０３において、基地局設備はユーザー設備のセルに対する信号品質の測定結果を受信する。
【００７２】
ステップ６０４において、基地局設備は受信したユーザー設備からの測定結果に基づき、受信機へ同一ペイロードの少なくとも２つの冗長バージョンを伝送することが必要か否かを判定する。もし必要だと判定した場合は、ステップ６０５に入る。もし判定結果が必要ないという場合、フローは終了する。
【００７３】
具体的に、基地局設備は測定結果におけるセル信号強度がデフォルト値より小さいか否かを判定できる。もしセル信号強度がデフォルト値より小さい場合、ユーザー設備の所在するセルの信号品質は比較的悪いと判定し、同一ペイロードの少なくとも２つの冗長バージョンを伝送する必要がある。
【００７４】
基地局設備はまた、測定結果におけるシステムＳＮＲがデフォルト値より小さいか否かを判定できる。もしシステムＳＮＲデフォルト値より小さい場合、ユーザー設備があるセルの信号品質は比較的悪いと判定し、同一ペイロードの少なくとも２つの冗長バージョンを伝送する必要がある。
【００７５】
ステップ６０５において、基地局設備は同一ペイロードに対するチャンネル符号化を行い、少なくとも２つの冗長バージョンを獲得する。
【００７６】
ステップ６０６おいて、基地局設備は獲得した少なくとも２つの冗長バージョンを結合後のＮ＋１個ダウンリンクサブフレームにて伝送し、かつ当該Ｎ＋１個ダウンリンクサブフレームにおける第１サブフレームの制御部分により当該Ｎ＋１個ダウンリンクサブフレームをスケジューリングする。
【００７７】
ここで、前記結合後のダウンリンクサブフレームは連続ダウンリンクサブフレームであってもよいし、また非連続ダウンリンクサブフレームであってもよい。結合後の各サブフレームには単独のシグナリング制御はなく、かつ同一ペイロードが対応する異なる冗長バージョンを伝送する。
【００７８】
ステップ６０７において、ユーザー設備は基地局設備からの少なくとも２つの冗長バージョンを受信し、当該少なくとも２つの冗長バージョン内の１つの冗長バージョンを使用してペイロードの復号に失敗した場合、当該少なくとも２つの冗長バージョン内の他の冗長バージョンを使用し当該ペイロードを復号する。
【００７９】
従来のダウンリンクシングルサブフレーム伝送に比べれば、本発明の実施形態はダウンリンク認証シグナリングにより少なくとも２つのダウンリンクサブフレームをスケジューリングし、シグナリング制御のオーバーヘッドを大幅に節約でき、かつサブフレームに対するスケジューリングの柔軟性を向上することができる。同一ペイロードに対応する少なくとも２つの冗長バージョンの伝送により、ダウンリンク伝送の信頼性を強化できる。
【００８０】
この他に、従来技術と比べれば本発明の実施形態に係る上述方案は以下の利点を有する。
【００８１】
本発明の実施形態に係る技術方案は、サブフレームの制御領域で他の１つあるいは複数のサブフレームのデータ領域をスケジューリングすることは、従来のダウンリンクシングルサブフレームに対するスケジューリングにより、シグナリング制御のオーバーヘッドを大幅に節約でき、さらに多くのリソースがデータ伝送に用いられるようになり、システム性能を高めるようになる。
【００８２】
以下に具体的な例を挙げて、本発明の実施形態の技術方案について説明する。
【００８３】
具体的な応用シーンにおいて、それぞれ以下のいくつかの例により説明する。
【００８４】
〈例１〉ダウンリンクサブフレームの制御領域は他のダウンリンクサブフレームのデータ領域をディスパッチできる。
図７に示すように、第ｉ個サブフレームの制御領域は第ｉ＋Ｎ個サブフレームのデータ領域を制御する。これにより第ｉ＋Ｎ個サブフレームのデータ領域をスケジューリングしてデータを伝送する。
よって、第ｉ個サブフレームを受信する際、当該サブフレームの制御領域を検出すれば、対応する制御識別子が指示するサブフレームが第ｉ＋Ｎ個サブフレームのデータ領域であることがわかる。
【００８５】
〈例２〉ダウンリンクサブフレームの制御領域は同時に他の複数のダウンリンクサブフレームのデータ領域をスケジューリングできる。
図８に示す通り、第ｉ個サブフレームの制御領域は第ｉ＋Ｎ個と第ｉ＋Ｍ個サブフレームのデータ領域を制御する。これにより第ｉ＋Ｎ個と第ｉ＋Ｍ個サブフレームのデータ領域をスケジューリングしてデータを伝送する。
よって、第ｉ個サブフレームを受信する際に当該サブフレームの制御領域を検出すれば、対応する制御識別子が指示するサブフレームが第ｉ＋Ｎ個と第ｉ＋Ｍ個サブフレームのデータ領域であることがわかる。
具体的な応用シーンにおいて、さらに他のサブフレームのデータ領域を制御できる。よって、サブフレーム数量の変化は本発明の保護範囲に影響しない。
【００８６】
〈例３〉ダウンリンクサブフレームの制御領域は同時に当該ダウンリンクサブフレームのデータ領域を他の１つ或いは複数のダウンリンクサブフレームのデータ領域をスケジューリングできる。
図９に示す通り、第ｉ個サブフレームの制御領域はサブフレームのデータ領域および第ｉ＋Ｎ個サブフレームのデータ領域を制御でき、これにより自身と第ｉ＋Ｎ個サブフレームのデータ領域をスケジューリングしてデータを伝送する。
よって、第ｉ個サブフレームを受信する際に当該サブフレームの制御領域を検出すれば、対応する制御識別子が指示するサブフレームがサブフレームと第ｉ＋Ｎ個サブフレームのデータ領域であることがわかる。
具体的な応用シーンにおいて、さらに制御他のサブフレームのデータ領域を制御できる。よって、サブフレーム数量の変化は本発明の保護範囲には影響しない。
【００８７】
上述の技術方案を実現するため、ダウンリンクマルチサブフレームディスパッチを支援する制御シグナリングにおいて、新たなビットを定義することにより具体的なスケジューリングされるサブフレームの情況を指示する。
【００８８】
従来技術と比べて、本発明の実施形態は以下の利点がある。
本発明の実施形態にかかる技術方案は、サブフレームの制御領域で他の１つあるいは複数のサブフレームのデータ領域をスケジューリングすることは、従来のダウンリンクシングルサブフレームディスパッチにより、シグナリング制御のオーバーヘッドを大幅に節約でき、さらに多くのリソースがデータ伝送に用いられるようになり、システム性能を向上させる。
【００８９】
本発明の実施形態の技術方案を実現するため、本発明の実施形態はさらに基地局を提供しており、その構造は図１０に示すようであり、スケジューリングモジュール１０１と、伝送モジュール１０２とを備える。
スケジューリングモジュール１０１は、各端末設備のワンタイムで受信すべきダウンリンクサブフレームの集合を確認する。
伝送モジュール１０２は、スケジューリングモジュール１０１に接続され、端末設備へダウンリンクサブフレームを送信する。ここで、ダウンリンクサブフレームの制御領域には、スケジューリングモジュール１０１が確認した端末設備のワンタイムで受信すべきダウンリンクサブフレームの集合における各ダウンリンクサブフレームの制御情報が含まれる。伝送モジュール１０２は、端末設備のワンタイムで受信すべきダウンリンクサブフレームの集合における各ダウンリンクサブフレームのデータ領域により端末設備へデータを伝送するのにさらに用いる。
【００９０】
前記ダウンリンクサブフレームの集合において少なくとも２つのダウンリンクサブフレームを含む場合、より好ましい実施形態において伝送モジュール１０２は具体的に第１伝送サブモジュールと、符号化サブモジュールと、第２伝送サブモジュールとに分ける。
第１伝送サブモジュールは、端末設備へダウンリンクサブフレームを送信する。ここで、ダウンリンクサブフレームの制御領域には、スケジューリングモジュール１０１が確認した端末設備のワンタイムで受信すべき少なくとも２つのダウンリンクサブフレームの制御情報が含まれる。
符号化サブモジュールは、同一ペイロードをチャンネル符号化し、少なくとも２つの冗長バージョンを獲得する。
第２伝送サブモジュールは、前記少なくとも２つのダウンリンクサブフレームのデータ領域により、端末設備へ符号化サブモジュールが獲得した前記少なくとも２つの冗長バージョンを伝送する。
ここで、前記制御情報を備える前記ダウンリンクサブフレームは前記少なくとも２つのダウンリンクサブフレーム以外或いはこれにおけるダウンリンクサブフレームである。
【００９１】
より好ましい実施形態において、前記基地局は、受信モジュールと、判定モジュールとをさらに含む。
受信モジュールは、前記ペイロードの受信機がセルに対する信号品質の測定結果を受信する。
判定モジュールは、受信モジュールが受信した測定結果に基づき、受信機へペイロードに対応する少なくとも２つの冗長バージョンを伝送することが必要か否かを判定する。必要だと判定した場合、符号化サブモジュールへペイロードのチャンネル符号化を行うよう通知する。
【００９２】
さらに、上述制御情報は具体的に、ダウンリンクサブフレームの制御領域に含まれる端末設備のワンタイムで受信すべきダウンリンクサブフレームの集合における各ダウンリンクサブフレームのデータ領域の詳細な指示メッセージであり、具体的には、ダウンリンクサブフレーム後の１つのダウンリンクサブフレームのデータ領域であるか、ダウンリンクサブフレーム後の複数のダウンリンクサブフレームのデータ領域であるか、ダウンリンクサブフレーム自身のデータ領域およびダウンリンクサブフレーム後の１つ或いは複数のダウンリンクサブフレームのデータ領域である。
【００９３】
一方で，端末設備がワンタイムで受信すべきダウンリンクサブフレームの集合における各ダウンリンクサブフレームは、具体的に連続ダウンリンクサブフレーム或いは非連続ダウンリンクサブフレームである。
【００９４】
そして、端末設備がワンタイムで受信すべきダウンリンクサブフレームの集合における各ダウンリンクサブフレームのデータ領域が伝送するペイロードは異なる。
【００９５】
本発明の実施形態の技術方案を実現するため、本発明の実施形態はさらに端末設備を提供しており、その構造は図１１に示す通りであり、具体的に獲得モジュール１１１と、受信モジュール１１２とを備える。
獲得モジュール１１１は、受信した、基地局が送信したダウンリンクサブフレームの制御領域に含まれる端末設備のワンタイムで受信すべきダウンリンクサブフレームの集合における各ダウンリンクサブフレームの制御情報を獲得する。
受信モジュール１１２は、獲得モジュール１１１に接続され、基地局が送信したダウンリンクサブフレームを受信し、また、獲得モジュール１１１が獲得したダウンリンクサブフレームの集合における各ダウンリンクサブフレームの制御情報に基づき、ダウンリンクサブフレームの集合における、各ダウンリンクサブフレームの制御情報に対応する各ダウンリンクサブフレームのデータ領域によりデータを受信する。
【００９６】
従来技術と比べて、本発明の実施形態は以下の利点を有する。
本発明の実施形態に係る技術方案は、１つのサブフレームの制御領域で他の１つあるいは複数のサブフレームのデータ領域をスケジューリングすることは、従来のダウンリンク・シングルサブフレームのスケジューリングにより、シグナリング制御のオーバーヘッドを大幅に節約でき、さらに多くのリソースがデータ伝送に用いられるようになり、システム性能を向上させる。
【００９７】
図１２は、本発明の実施形態における信号伝送システム構造を示す図であり、送信機１２１０と、受信機１２２０とを備える。
送信機１２１０は、同一ペイロードに対するチャンネル符号化を行い、少なくとも２つの冗長バージョンを獲得する。前記少なくとも２つの冗長バージョンを少なくとも２つのダウンリンクサブフレームにて伝送し、かつダウンリンク認証シグナリングにより前記少なくとも２つのダウンリンクサブフレームをスケジューリングし、前記少なくとも２つのダウンリンクサブフレームで信号を伝送する。
前記送信機１２１０は、同一ペイロードに対するチャンネル符号化を行い、少なくとも２つの冗長バージョンを獲得する。また、前記少なくとも２つの冗長バージョンを少なくとも２つのダウンリンクサブフレーム上にて伝送し、前記少なくとも２つのダウンリンクサブフレーム以外のダウンリンクサブフレームの制御領域により前記少なくとも２つのダウンリンクサブフレームをスケジューリングする。
上述送信機１２１０は、同一ペイロードに対するチャンネル符号化を行い、少なくとも２つの冗長バージョンを獲得するのにさらに用いる。また、前記少なくとも２つの冗長バージョンを少なくとも２つのダウンリンクサブフレーム上にて伝送し、前記少なくとも２つのダウンリンクサブフレームにおけるダウンリンクサブフレームの制御領域により前記少なくとも２つのダウンリンクサブフレームをスケジューリングする。
受信機１２２０は、送信機１２１０からの少なくとも２つのダウンリンクサブフレームを受信し、前記少なくとも２つのダウンリンクサブフレームに含まれる少なくとも２つの冗長バージョンを獲得する。
前記受信機１２２０は、前記少なくとも２つの冗長バージョン内の１つの冗長バージョンを使用して前記ペイロードの復号に失敗した場合、前記少なくとも２つの冗長バージョン内の他の冗長バージョンを使用し前記ペイロードを復号するのにさらに用いる。
前記受信機１２２０はさらに、測定セルの信号品質を測定し、測定結果を獲得し、セルの信号品質に対する測定結果を送信機１２１０へ送信する。
ここで、測定結果はセル信号強度、システムＳＮＲ等メッセージを含む。
【００９８】
これに応じて、送信機１２１０は、受信機１２２０からの測定結果を受信するのにさらに用いる。受信した受信機１２２０からの測定結果に基づき、受信機１２２０へ同一ペイロードに対応する少なくとも２つの冗長バージョンを伝送することが必要か否かを判定する。もし必要だと判定した場合、同一ペイロードに対するチャンネル符号化を行い，同一ペイロードに対応する少なくとも２つの冗長バージョンを伝送、獲得する。
【００９９】
具体的に、送信機１２１０は測定結果中のセル信号強度がデフォルト値より小さいか否かを判定できる。もしセル信号強度がデフォルト値より小さい場合、受信機１２２０の所在セルの信号品質は比較的悪くて、同一ペイロードに対応する少なくとも２つの冗長バージョンを伝送する必要があると判断する。
【０１００】
送信機１２１０も測定結果中のシステムＳＮＲがデフォルト値より小さいか否かを判定できる。もしシステムＳＮＲがデフォルト値より小さい場合、受信機１２２０の所在セルの信号品質が比較的悪くて、同一ペイロードに対応する少なくとも２つの冗長バージョンを伝送する必要があると判断する。
【０１０１】
従来のダウンリンクシングルサブフレーム伝送と比べれば、本発明の実施形態はダウンリンク認証シグナリングにより少なくとも２つのダウンリンクサブフレームをスケジューリングすることにより、シグナリング制御のオーバーヘッドを大幅に節約でき、かつサブフレームに対するスケジューリングの柔軟性を向上する。また、同一ペイロードに対応する少なくとも２つの冗長バージョンの伝送により、ダウンリンク伝送の信頼性を強化できる。
【０１０２】
上述により、本発明の実施方式が、ハードウェアにより実現できるし、ソフトウェアに必要である通用ハードウェアプラットフォームを加える方式を利用して実現できることが、同業者にとって理解できる。これを踏まえ、本発明の実施形態の技術方案はソフトウェア製品の形式により体現され、当該ソフトウェア製品は非揮発性ストレージ媒体（ＣＤ−ＲＯＭ、ＵＳＢ、ポータブルハードディスク等でも可）にストレージでき、若干の命令を利用してコンピュータ設備（パーソナルコンピュータ、サーバ、或いはネットワーク設備等でも可）に本発明の実施形態の各実施シーンに記述の前記の方法を実行させることを含む。
【０１０３】
図面はより好ましい実施シーンを示す図というだけであり、図面におけるモジュール或いはフローは本発明の実施形態に必須であるとは限らないということが、当業者にとって理解できる。
【０１０４】
また、実施シーンにおける装置においてモジュールは実施シーンの記述により実施シーンの装置に分布することができ、また異なる本実施シーンの１つ或いは複数の装置において相応の変化を行うこともできる。前記実施シーンのモジュールは１つのモジュールに合併することができ、さらに複数のサブモジュールに分解することもできる。
【０１０５】
上述本発明の実施形態の順番は記述のためのみであり、実施シーンの優劣を代表するものではない。
【０１０６】
以上に公開したのは本発明の実施形態のいくつかの具体的実施シーンを示すのみであり、本発明の実施形態はこれに限らない。如何なる当業者能が想等する変更は本発明の保護範囲内に含まれるものである。
【図１】
0005509343.tif 000002
【図２】
0005509343.tif 000003
【図３】
0005509343.tif 000004
【図４】
0005509343.tif 000005
【図５】
0005509343.tif 000006
【図６】
0005509343.tif 000007
【図７】
0005509343.tif 000008
【図８】
0005509343.tif 000009
【図９】
0005509343.tif 000010
【図１０】
0005509343.tif 000011
【図１１】
0005509343.tif 000012
【図１２】
0005509343.tif 000013